(57)【特許請求の範囲】
【請求項１】
少なくとも前後一対の針床と、針床の編針に編糸を給糸する給糸口とを有し、前後の針床間で編目の目移しが可能な横編機を用いて、ベース編地部と、そのベース編地部の編幅方向に並ぶ複数のフリンジと、を備える編地を編成するためのフリンジ付編地の編成方法において、
前記フリンジの起点となる起点編目を編成する工程αと、
工程αの後に、前記起点編目から離れる方向に前記給糸口を移動させてから前記起点編目に近づく方向に前記給糸口を移動させ、この往復移動の際にベース編地部が係止される編針以外の編針に仮係止編目を編成することでフリンジを形成する工程βと、
工程βの後に、前記工程αで形成した前記起点編目のウエール方向に続く捻れ目からなる留め編目を編成し、前記工程βで形成したフリンジの根元を固定する工程γと、
を繰り返すことを特徴とするフリンジ付編地の編成方法。
【請求項２】
ｎ回目の工程αを、ｎ−１回目の工程βの後で、かつｎ−１回目の工程γの前に行なうことを特徴とする請求項１に記載のフリンジ付編地の編成方法。
但し、ｎは、２以上の任意の自然数である。
【請求項３】
前記工程γにおいて、前記留め編目の形成直後に、その留め編目のウエール方向に続き、かつ前記留め編目とは逆方向に捻られた捻れ目である補強編目を編成することを特徴とする請求項１または２に記載のフリンジ付編地の編成方法。
【発明の詳細な説明】
【技術分野】
【０００１】
本発明は、ウエール方向の任意の位置にフリンジを備えるフリンジ付編地の編成方法に関する。
【背景技術】
【０００２】
横編機を用いて、マフラーやクッション、ニットウェアのフードや衿などにフリンジを編成することが行なわれている。例えば、特許文献１には、フリンジを編成しつつ、そのフリンジの根元を固定することができるフリンジ付編地の編成方法が開示されている。
【先行技術文献】
【特許文献】
【０００３】
【特許文献１】特開２００６−１６１２４１号公報
【発明の概要】
【発明が解決しようとする課題】
【０００４】
しかし、従来の編成方法では、例えば、表面の滑らかな編糸や細い編糸などを用いてフリンジを形成した場合、フリンジを強く引っ張ったときにフリンジが引き出される恐れがある。そのため、従来よりも強固にフリンジの根元を固定できるフリンジ付編地の編成方法が望まれている。
【０００５】
本発明は、上記事情に鑑みてなされたものであり、その目的は、フリンジの根元が従来よりも強固に固定されたフリンジを編成することができるフリンジ付編地の編成方法を提供することにある。
【課題を解決するための手段】
【０００６】
本発明は、少なくとも前後一対の針床と、針床の編針に編糸を給糸する給糸口とを有し、前後の針床間で編目の目移しが可能な横編機を用いて、ベース編地部と、そのベース編地部の編幅方向に並ぶ複数のフリンジと、を備える編地を編成するためのフリンジ付編地の編成方法に係り、次の工程α〜γを繰り返すことを特徴とする。
［工程α］…フリンジの起点となる起点編目を編成する。
［工程β］…工程αの後に、起点編目から離れる方向に給糸口を移動させてから起点編目に近づく方向に給糸口を移動させ、この給糸口の往復移動の際にベース編地部が係止される編針以外の編針に仮係止編目を編成することでフリンジを形成する。
［工程γ］…工程βの後に、工程αで形成した起点編目のウエール方向に続く捻れ目からなる留め編目を編成し、工程βで形成したフリンジの根元を固定する。
なお、上記起点編目は、空針に形成する掛け目でも良いし、ベース編地部から割増やしで分岐した編目に続く編目でも良い。
【０００７】
上記本発明フリンジ付編地の編成方法では工程α〜γを繰り返すが、その繰り返しの際、ｎ回目の工程αは、ｎ−１回目の工程αの後であればいつ行なっても良い（ｎ＝２以上の自然数）。具体的には、次の繰り返しパターンが挙げられる。
［１］ｎ回目の工程αを、ｎ−１回目の工程γの後に行なう
（例）工程α１→工程β１→工程γ１→工程α２→工程β２→工程γ２→工程α３…
［２］ｎ回目の工程αを、ｎ−１回目の工程βの後で、かつｎ−１回目の工程γの前に行なう
（例）工程α１→工程β１→工程α２→工程γ１→工程β２→工程α３→工程γ２…
［３］ｎ回目の工程αを、ｎ−１回目の工程βの前に行なう
（例）工程α１→工程α２→工程β１→工程γ１→工程α３→工程β２→工程γ２→工程α４→工程β３→工程γ３…
特に、上記繰り返しパターン［２］が最も好ましい。
【０００８】
本発明フリンジ付編地の編成方法の一形態として、工程γにおいて、留め編目の形成直後に、その留め編目のウエール方向に続く補強編目を編成する形態を挙げることができる。その場合、当該補強編目は、留め編目とは逆方向に捻じられた捻れ目とする。
【発明の効果】
【０００９】
本発明フリンジ付編地の編成方法によれば、フリンジを形成しつつ、そのフリンジの根元を従来よりも強固に固定することができる。そのため、本発明編成方法により得られたフリンジ付編地では、フリンジを引っ張ってもフリンジの根元で編糸がずれることが殆どなく、編地の使用時にフリンジが解けるなどの不具合が生じ難い。
【００１０】
ここで、本発明編成方法では、フリンジを形成するための起点編目が掛け目である場合がある。掛け目は、単に編針に編糸を掛けただけのものであるため、連続してそのウエール方向に続く編目を編成するために編針を歯口方向に進出させたときに編針に付いていってしまう場合がある。そうなると、掛け目のクリアリングができず、掛け目に続く編目を編成することができなくなってしまう。これに対して、本発明編成方法では、工程α〜γを繰り返すため、起点編目のウエール方向に続く留め編目の編成（ｎ回目の工程γ）の前に、必ず一つ前の留め編目を編成する（ｎ−１回目の工程γ）。このｎ−１回目の工程γの留め編目は、編成によりそのシンカーループが歯口下方に下がるため、その留め編目に繋がるｎ回目の工程γの起点編目との渡り糸にも歯口下方に下がる力が加わる。そのため、本発明編成方法では、起点編目が掛け目であっても編針の進出に起点編目が付いていくことが殆どなく、起点編目に対する留め編目の編成を円滑にできる。また、フリンジを形成する際に、一旦フリンジを歯口近傍で仮止めするために仮係止編目を編成することも、起点編目に対して新たな留め編目の編成が円滑になる要因である。
【００１１】
上記繰り返しパターン［２］の本発明編成方法によれば、他の繰り返しパターンよりも、フリンジおよびその根元近傍の仕上がりを良好にすることができる。また、繰り返しパターン［２］の本発明編成方法によれば、より一層、起点編目に対する留め編目の編成を円滑にできる。それは、ｎ回目の工程αの起点編目を編成した後、ｎ−１回目の工程γで留め編目を編成することで、その留め編目に繋がるｎ回目の工程αの起点編目を歯口下方に強く下げることができるからである。さらに、ｎ−１回目の工程γの後に行なうｎ回目の工程βでフリンジを形成する際、フリンジを構成する編糸が、ｎ回目の工程αの起点編目から両側に延びる渡り糸に交差することも、起点編目に対して新たな留め編目を編成し易くなる要因の一つである。それは、起点編目に対して新たな留め編目を編成するために編針を上昇させたときに、フリンジを構成する編糸が起点編目の前記渡り糸を抑えるからである。
【００１２】
補強編目を編成する本発明フリンジ付編地の編成方法によれば、フリンジの根元の固定をより強固にすることができる。例えば、細い編糸や表面が滑らかな編糸を用いてフリンジを形成した場合でも、確実にフリンジの根元を固定することができる。捻れ目である留め編目と逆方向に補強編目を捻ることで、フリンジを引っ張ったときに、補強編目または留め編目の一方が必ずフリンジの根元を絞るからである。
【図面の簡単な説明】
【００１３】
【図１】実施形態のフリンジ付編地の写真を示す図である。
【図２】実施形態のフリンジ付編地の編成工程図である。
【図３】図２の編成工程に従って編成されたフリンジ近傍の編糸の状態を模式的に示すループ図である。
【図４】（Ａ），（Ｂ）は、図２の編成工程図における工程の一部の順序を入れ換えて編成されたフリンジ近傍の編糸の状態を模式的に示すループ図である。
【発明を実施するための形態】
【００１４】
以下、本発明フリンジ付編地の編成方法の実施形態を図面に基づいて説明する。実施形態に記載の編成では、左右方向に延び、かつ、前後方向に互いに対向する前針床（以下、ＦＢ）と後針床（以下、ＢＢ）を備え、前後の針床間で編目の目移しが可能な２枚ベッド横編機を用いた。もちろん、使用する横編機は、２枚ベッド横編機に限定されるわけではなく、目移し専用の針床を備える横編機であっても良いし、４枚ベッド横編機であっても良い。
【００１５】
図１に示すフリンジ付編地は、ニットウェアの衿に相当する部分であり、衿を構成するベース編地部１００のウエール方向中間部に、複数のフリンジ２０を設けたフリンジ形成部２００が形成されている。フリンジ形成部２００は、編幅方向に並ぶ複数のフリンジ２０からなるフリンジ列が、ウエール方向に複数並ぶことで形成されている。このような衿を有するニットウェアを着用する際は、フリンジ２０が外側に配置されるように、フリンジ形成部２００の位置でベース編地部１００を折り返す。
【００１６】
上記フリンジ付編地の編成方法を図２の編成工程図に基づいて説明する。図２中の左欄に記載される「Ｓ＋数字」は編成工程の番号を、中欄の左右方向の矢印および上下方向の矢印はそれぞれ、給糸口の移動方向および編目の目移しの方向を示す。また、右欄は、各編成工程で実際に行なった編成動作を示し、黒点は編針、●は新たに形成する編目、○は針床に係止される編目、Ｖ字は掛け目を示す。なお、右欄において実際に行なった編成動作は太線で示す。
【００１７】
図２のＳ１では、ＦＢの編針Ｑ，Ｏ，Ｍ，Ｋ，Ｉ，Ｇ，Ｅ，Ｃ，Ａを用いてベース編地部１００を編成した状態が示されている。このＳ１の状態からＳ２以降の編成により編幅方向に並ぶ複数のフリンジ２０を編成していく。
【００１８】
Ｓ２では、ＦＢの編針Ａの編目を除くベース編地部１００の編目をＢＢに目移ししておく。これは、ＦＢにおいてこれからフリンジ２０を編成する領域からベース編地部１００を退避させ、フリンジ２０がベース編地部１００に編み込まれないようにするための準備工程である。
【００１９】
Ｓ３では、給糸口９を紙面右方向に移動させ、ＦＢの編針Ａに係止されるベース編地部１００の編目のウエール方向に続く編目１０１を編成した後、空針であるＦＢの編針Ｃ，Ｆ，Ｌに掛け目を編成する。Ｓ３で形成した掛け目のうち、編針Ｃの掛け目は、一つ目のフリンジ２０の起点となる起点編目１である。残りの掛け目は、フリンジ２０に所定の長さを与える仮係止編目２であり、後に針床から外される。仮係止編目２は、Ｓ１でベース編地部１００の編目が係止されていなかった編針に形成する。仮係止編目２は、少なくともフリンジ２０の根元を固定する下記Ｓ５が終わるまで針床に係止されていれば良く、Ｓ５以降の任意のタイミングで針床から外すことができる（フリンジ付編地の編成が終了するまで針床に係止したままでも構わない）。以降、仮係止編目２の係止状態は、図示を省略する。
【００２０】
Ｓ４では、給糸口９を紙面左方向に移動させ、空針であるＦＢの編針Ｐ，Ｊ，Ｅに掛け目を編成する。これらＳ３，Ｓ４により、一つ目のフリンジ２０が形成される。ここで、Ｓ４で形成した掛け目のうち、編針Ｐ，Ｊの掛け目は、フリンジ２０に所定の長さを与える仮係止編目２である。一方、編針Ｅの掛け目は、二つ目のフリンジ２０の起点となる起点編目１である。
【００２１】
Ｓ５では、給糸口９を紙面右方向に移動させ、Ｓ３において編針Ｃに形成した起点編目１のウエール方向に続く編目（留め編目３）を編成した後、給糸口９を紙面左方向に移動させる。この留め編目３は、捻れ目であり、Ｓ３，Ｓ４で形成したフリンジ２０の根元を固定する役割を持つ。ここで、留め編目３を新たに編成する起点編目１は掛け目であるが、その起点編目１は、編針Ａの編目１０１によって歯口下方に引き下げられているため、起点編目１に新たな留め編目３を編成する際、起点編目１のクリアリングがされ易く、従って留め編目３を編成し易い。編目１０１によって起点編目１が歯口下方に引き下げられるのは、両編目１０１，１が渡り糸で繋がり、かつ編目１０１が編成によって歯口下方に下がっているため、起点編目１に歯口下方に下がる力が加わるからである。
【００２２】
Ｓ６では、給糸口９を紙面右方向に移動させ、Ｓ５において形成した留め編目３のウエール方向に続く編目（補強編目４）を編成した後、給糸口９を紙面左方向移動させる。この補強編目４は、留め編目３とは捻られる方向が逆となっている捻れ目である。捻れ目である留め編目３と逆方向に補強編目４を捻ることで、フリンジ２０を引っ張ったときに、補強編目４または留め編目３の一方が必ずフリンジ２０の根元を絞る状態にできる。その結果、細い編糸や表面が滑らかな編糸を用いた場合でも、確実にフリンジ２０の根元の固定を強固にすることができる。なお、この補強編目４の編成は必須ではなく、上記Ｓ５の後にＳ６を行なわずに下記Ｓ７を行なっても良い。また、補強編目４は、Ｓ５で給糸口９を紙面左方向に移動させるときに編成することで、捻れていない編目としても良い（この場合、Ｓ６は省略する）。但し、編目３，４を両方とも捻れ目とする方が、フリンジ２０の根元の固定は強固である。
【００２３】
Ｓ７では、給糸口９を紙面右方向に移動させ、ＦＢの編針Ｈ，Ｎに仮係止編目２を編成し、Ｓ８では、給糸口を紙面左方向に移動させ、ＦＢの編針Ｒ，Ｌに仮係止編目２を、編針Ｇに三つ目のフリンジ２０の起点となる起点編目１を編成する。
【００２４】
Ｓ９，Ｓ１０では、Ｓ４で形成した編針Ｅの起点編目１のウエール方向に続く留め編目３と補強編目４の編成を行ない、二つ目のフリンジ２０の根元を強固に固定する。ここで、起点編目１は掛け目であるが、その起点編目１のウエール方向に留め編目３を容易に編成できる。それは、編針Ｅの起点編目１の紙面左側に繋がる留め編目３（Ｓ５，Ｓ６参照）が編成によって歯口下方に下がることで、起点編目１が強く歯口下方に引かれているからである。加えて、Ｓ７で形成するフリンジ２０の編糸が、編針Ｅの起点編目１の両側に延びる渡り糸に交差していることも、留め編目３を容易に編成できる要因の一つである。編針Ｅの起点編目１に新たな留め編目３を編成する際、その起点編目１の両側に延びる渡り糸に交差するフリンジ２０の編糸が、当該渡り糸を抑えるからである、
【００２５】
以上説明したように、図２の編成工程では、本発明編成方法の工程α〜工程γを、工程α（Ｓ３の前半）→工程β（Ｓ３の後半＋Ｓ４の前半）→工程α（Ｓ４の後半）→工程γ（Ｓ５＋Ｓ６）→工程β（Ｓ７＋Ｓ８の前半）→工程α（Ｓ８の後半）→工程γ（Ｓ９＋Ｓ１０）…の順序で繰り返している。つまり、ｎ回目の工程αを、ｎ−１回目の工程βと工程γの間に行なっている。Ｓ１０以降は、Ｓ７〜Ｓ１０と同様の編成を、編針の位置を変えて繰り返すことで、編幅方向に並ぶ複数のフリンジ２０からなるフリンジ列が編成される。なお、フリンジ２０の数が多くなると、ＦＢに仮係止編目２を編成する空針が足らなくなる場合があるが、そのときは、既にＦＢに係止される仮係止編目２に続いて新たなフリンジ２０の仮係止編目２を形成しても良い。
【００２６】
Ｓ１１には、複数のフリンジ２０を形成し終え、ＦＢの編針Ｃ，Ｅ，Ｇ，Ｉ，Ｋ，Ｍ，Ｏ，Ｑにフリンジ２０の根元を固定する補強編目４が係止された状態が示されている。このＳ１１の状態から、Ｓ１２では、フリンジ２０をベース編地部１００に固定するため、ＢＢに預けておいたベース編地部１００の編目を、ＦＢの補強編目４と重ね合わせ、その重ね目に続く編目を編成する。その結果、編幅方向に並ぶ複数のフリンジ２０からなる一列のフリンジ列がベース編地部１００に固定される。
【００２７】
ここで、図１に示すフリンジ付編地は、複数のフリンジ列がウエール方向に並ぶ編地であるので、Ｓ１２の後に、さらにＳ１から始まるフリンジ列の編成を行なう。そして、所望の数のフリンジ列を編成したら、最後のフリンジ列をベース編地部１００に固定するＳ１２の後に、さらにベース編地部１００の編成を行ない、図１のフリンジ付編地を完成させる。もちろん、フリンジ列の間にベース編地部１００をいくらか編成しても良い。
【００２８】
以上説明した編成工程に従って編成されたフリンジ付編地では、フリンジの根元が強固に固定されており、当該編地を使用する際にフリンジが引き出されるなどの不具合が生じ難い。その理由を図３のループ図に基づいて説明する。
【００２９】
図３は、図１の編成工程のＳ１２が終了した時点でのフリンジ２０近傍の編目の状態を示すループ図である。この図３に示すように、フリンジ２０の根元となる起点編目１に続く新たな留め編目３と補強編目４が形成され、かつこれらの編目３，４はフリンジ２０に繋がっている。そのため、フリンジ２０を引っ張れば、フリンジ２０に繋がる編目３，４が小さく縮まり、それぞれの編目３，４のウエール方向に繋がる編目の根元を絞る。その結果、フリンジ２０の根元が固定され、フリンジ２０が引き出されるなどの不具合が生じ難い。
【００３０】
＜実施形態２＞
実施形態１とは異なる実施形態として、例えば、ｎ回目の工程αは、ｎ−１回目の工程βの前に行なっても良い。具体的には、図２のＳ４（Ｓ８）で行なっていた編針Ｅ（編針Ｇ）の起点編目１の編成をＳ３（Ｓ７）で行なう。そうすることで、図４（Ａ）のループ図に示す状態のフリンジ２０を備える編地を編成できる。その他、ｎ回目の工程αを、ｎ−１回目の工程γの後に行なうこともできる。具体的には、図２のＳ４で行なっていた編針Ｅの起点編目１の編成をＳ７で行ない、Ｓ８で行なっていた編針Ｇの起点編目１の編成をＳ１０の後に行なう。そうすることで、図４（Ｂ）のループ図に示す状態のフリンジ２０を備える編地を編成できる。これらの編成によっても、強固にフリンジ２０の根元を固定することができる。
【００３１】
本発明は、上述した実施形態に限定されるわけではなく、本発明の要旨を逸脱しない範囲で適宜変更して実施することができる。例えば、図２のＳ１２においてＦＢに係止される編目を伏目処理すれば、編地の末端にフリンジ列が形成された編地とすることができる。これを応用すればマフラーなどのウエール方向の両端にフリンジ列を持つ編地を編成できる。具体的には、編出し部を形成し、その編出し部に対して図２の編成を行なった後、マフラーの本体となるベース編地部１００を編成する。そして、ベース編地部１００の末端に対して図２の編成を行なった後、針床に係止される編目を伏目処理する。
【符号の説明】
【００３２】
１００  ベース編地部  １０１  編目
２００  フリンジ形成部  ２０  フリンジ
１  起点編目（掛け目）
２  仮係止編目（掛け目）
３  留め編目（捻れ目）
４  補強編目（捻れ目）
９  給糸口
【図２】
0005865730.tif 000002
【図３】
0005865730.tif 000003
【図４】
0005865730.tif 000004
【図１】
0005865730.tif 000005